(57)【要約】【課題】撮像装置が記憶する写真画像を、画像記憶装置に対し簡単に送信することを可能とする。【解決手段】撮像装置記憶部１０３５は写真画像を記憶する。画像撮像部１０３１は写真画像の送信先である画像記憶装置と画像記憶装置内での記憶先とを一意に識別するネットワーク上のアドレス情報が含まれたアドレス画像を撮像する。アドレス画像解析部１０３３はアドレス画像よりアドレス情報を取得する。撮像装置ネットワーク送受信部１０３４は、アドレス情報で識別される画像記憶装置内での記憶先に、写真画像を送信する。【選択図】図１
2009020862.tif 000002
【特許請求の範囲】
【請求項１】
写真画像を記憶する撮像装置記憶部と、
前記写真画像の送信先である画像記憶装置と前記画像記憶装置内での記憶先とを一意に識別するネットワーク上のアドレス情報が含まれたアドレス画像を撮像する画像撮像部と、
前記アドレス画像より前記アドレス情報を取得するアドレス画像解析部と、
前記アドレス情報で識別される前記画像記憶装置内での記憶先に、前記写真画像を送信する撮像装置ネットワーク送信部と、
を備えたことを特徴とする撮像装置。
【請求項２】
前記写真画像の画像サイズを変更する画像サイズ変更部を備え、
前記画像撮像部は、前記画像記憶装置が記憶することが可能な画像サイズの情報である記憶可能情報をさらに含んだアドレス画像を撮像し、
前記アドレス画像解析部はさらに、前記アドレス画像より前記記憶可能情報を取得し、
前記画像サイズ変換部は、前記記憶可能情報に基づいて、前記写真画像の画像サイズを変更する
ことを特徴とする請求項１に記載の撮像装置。
【請求項３】
ユーザの指示に従って、複数の前記アドレス画像のうち１つを選択するアドレス画像選択部
を備え、
前記画像撮像部は、前記アドレス画像が複数含まれた画像を撮像し、
前記アドレス画像解析部は、前記アドレス画像選択部が選択した前記アドレス画像に含まれる情報を取得する
ことを特徴とする請求項１または請求項２のいずれか１項に記載の撮像装置。
【請求項４】
前記画像撮像部は、認証情報をさらに含んだ前記アドレス画像を撮像し、
前記撮像装置記憶部は、前記認証情報と、前記アドレス情報とを関連付けて記憶し、
前記撮像装置ネットワーク送信部は、前記認証情報と前記アドレス情報とを前記画像記憶装置に送信する
ことを特徴とする請求項１から請求項３のいずれか１項に記載の撮像装置。
【請求項５】
請求項１に記載の撮像装置と、
前記アドレス情報を生成するアドレス生成部と、
前記アドレス生成部が生成した前記アドレス情報を含む前記アドレス画像を生成するアドレス画像生成部と、
前記アドレス画像生成部が生成した前記アドレス画像を表示する表示部と、
前記撮像装置ネットワーク送信部が送信した前記写真画像を受信するネットワーク受信部と、
前記ネットワーク受信部が受信した前記写真画像を記憶する記憶部と、
を備えたことを特徴とする電子アルバムシステム。
【請求項６】
前記アドレス画像生成部が生成した前記アドレス画像へのリンクを含む第１のウェブ文書を生成するウェブ文書生成部
を備え、
前記表示部は、前記第１のウェブ文書をウェブブラウザが変換して作成した第１のウェブページを表示し、
前記ウェブ文書生成部は前記記憶部が記憶した前記写真画像へのリンクを含む第２のウェブ文書を作成し、
前記表示部は、前記第２のウェブ文書を前記ウェブブラウザが変換して作成した第２のウェブページを表示する
ことを特徴とする請求項５に記載の電子アルバムシステム。
【請求項７】
自画像記憶装置と自画像記憶装置内での画像の記憶先とを一意に識別するネットワーク上のアドレス情報を生成するアドレス生成部と、
前記アドレス生成部が生成した前記アドレス情報を含むアドレス画像を生成するアドレス画像生成部と、
前記アドレス画像生成部が生成した前記アドレス画像を送信する送信部と、
前記アドレス画像に含まれる前記アドレス情報に基づいて送信された写真画像を受信する受信部と、
前記受信部が受信した前記写真画像を前記画像の記憶先に記憶する記憶部と、
を備えたことを特徴とする画像記憶装置。
【請求項８】
前記アドレス画像生成部は、自画像記憶装置が記憶することが可能な画像サイズの情報である記憶可能情報をさらに含めた前記アドレス画像を生成する
ことを特徴とする請求項７に記載の画像記憶装置。
【請求項９】
認証情報を生成する認証情報生成部と、
自画像記憶装置に対する削除要求を受け付けるか否か判断する認証部と、
を備え、
前記アドレス画像生成部はさらに、前記認証情報を含めた前記アドレス画像を生成し、
前記受信部は、削除する前記写真画像の前記記憶先と、認証情報とを含んだ画像削除要求を受信し、
前記認証部は、前記認証情報生成部が生成した前記認証情報と、前記受信部が受信した前記認証情報とに基づいて前記削除要求を受け付けるか否か判断し、
前記認証部が前記削除要求を受け付けると判断した場合、前記記憶部は前記記憶先に記憶している前記写真画像を削除する
ことを特徴とする請求項７または請求項８に記載の画像記憶装置。
【発明の詳細な説明】
【技術分野】
【０００１】
本発明は、撮影画像を送信することが可能な撮像装置、電子アルバムシステムおよび画像記憶装置に関する。
【背景技術】
【０００２】
従来、デジタルカメラで撮影した写真画像を管理する方法としては、パーソナルコンピュータにコピーし、パーソナルコンピュータ上のファイルとして管理する方法がある。また、撮影した写真画像の活用方法の一つとして、インターネットを利用して写真画像を公開するオンラインアルバムのサービスが知られている。オンラインアルバムのサービスを用いて写真画像を公開する場合、デジタルカメラからパーソナルコンピュータに写真画像をコピーし、更にパーソナルコンピュータからオンラインアルバムサイトに写真画像をコピーする必要がある。
【０００３】
デジタルカメラからパーソナルコンピュータに写真画像をコピーする方法としては、メモリカードなどの記録メディアをデジタルカメラに挿入して画像を記録メディアに保管し、その後記録メディアをデジタルカメラから抜き取りパーソナルコンピュータに取り付けられた記録メディア読み取り装置に挿入し、記録メディア読み取り装置を介してコピーする方法や、Ｕｎｉｖｅｒｓａｌ  Ｓｅｒｉａｌ  Ｂｕｓ（ＵＳＢ）ケーブルなどのデータ転送用ケーブルを用いてデジタルカメラとパーソナルコンピュータを接続し、パーソナルコンピュータからの操作でデジタルカメラからコピーする方法が知られている。また、パーソナルコンピュータからオンラインアルバムサイトに写真画像をコピーする方法としては、ファイル選択ダイアログを用いてパーソナルコンピュータ内の画像ファイルを指定する方法や、マウスのドラッグ・アンド・ドロップ操作により画像ファイルを指定する方法が知られている。指定された画像ファイルはパーソナルコンピュータからネットワークを通してオンラインアルバムサイトにコピーされ、オンラインアルバムに登録、表示される。
【０００４】
特許文献１には１次元または２次元のバーコードを撮像し、撮像した画像情報から１次元または２次元のバーコードを認識し、認識したバーコードから、送信対象を一意に特定するデバイスアドレス情報を認識し、認識したデバイスアドレス情報によって特定された機器に写真画像を無線で送信する方法が開示されている。
【特許文献１】特開２００３−１６９１８７号公報
【発明の開示】
【発明が解決しようとする課題】
【０００５】
しかし、上記の方法ではデジタルカメラで撮影した写真画像をオンラインアルバムサイトにコピーする際、一度パーソナルコンピュータに写真画像をコピーする必要があり、更にパーソナルコンピュータからオンラインアルバムサイトにコピーする作業が必要である。特に、パーソナルコンピュータからオンラインアルバムサイトにコピーする作業は単純作業でありながらマウスやキーボードによってコピー先を指定する操作を必要とするため、操作を実施する者の負担となる。また、記録メディア読み取り装置や、データ転送用ケーブルなどが接続可能な、パーソナルコンピュータと同様のインタフェースを有さないテレビ等の画像表示機器でオンラインアルバムサイトを閲覧している場合、デジタルカメラからオンラインアルバムサイトに新たに画像をコピーすることができない。
【０００６】
また、特許文献１に記載の方法では、送信先のデバイスアドレス情報をバーコード画像から取得し、取得したデバイスアドレス情報で特定される機器に情報を無線で送信することができるが、送信先機器内のどの位置に画像をコピーするのかを指定する手段が別途必要である。また、送信した写真画像は正しい写真画像であるか、オンラインアルバムサイトの正しい位置にコピーされたかどうかを直ちに確認することができないという問題がある。
【０００７】
本発明は、上記の課題を解決するためになされたものであり、撮像装置が記憶する写真画像を、画像記憶装置（オンラインアルバムサイト）に対し簡単に送信することが可能な撮像装置および電子アルバムシステムを提供することを目的とする。また、第２の目的として、写真画像が正しい位置に送信および保存されたか否か確認することが可能な電子アルバムシステムを提供することを目的とする。
【課題を解決するための手段】
【０００８】
本発明は、写真画像を記憶する撮像装置記憶部と、前記写真画像の送信先である画像記憶装置と前記画像記憶装置内での記憶先とを一意に識別するネットワーク上のアドレス情報が含まれたアドレス画像を撮像する画像撮像部と、前記アドレス画像より前記アドレス情報を取得するアドレス画像解析部と、前記アドレス情報で識別される前記画像記憶装置内での記憶先に、前記写真画像を送信する撮像装置ネットワーク送信部と、を備えたことを特徴とする撮像装置である。
【０００９】
また、本発明は、前記写真画像の画像サイズを変更する画像サイズ変更部を備え、前記画像撮像部は、前記画像記憶装置が記憶することが可能な画像サイズの情報である記憶可能情報をさらに含んだアドレス画像を撮像し、前記アドレス画像解析部はさらに、前記アドレス画像より前記記憶可能情報を取得し、前記画像サイズ変換部は、前記記憶可能情報に基づいて、前記写真画像の画像サイズを変更することを特徴とする撮像装置である。
【００１０】
また、本発明は、ユーザの指示に従って、複数の前記アドレス画像のうち１つを選択するアドレス画像選択部を備え、前記画像撮像部は、前記アドレス画像が複数含まれた画像を撮像し、前記アドレス画像解析部は、前記アドレス画像選択部が選択した前記アドレス画像に含まれる情報を取得することを特徴とする撮像装置である。
【００１１】
また、本発明の撮像装置において、前記画像撮像部は、認証情報をさらに含んだ前記アドレス画像を撮像し、前記撮像装置記憶部は、前記認証情報と、前記アドレス情報とを関連付けて記憶し、前記撮像装置ネットワーク送信部は、前記認証情報と前記アドレス情報とを前記画像記憶装置に送信することを特徴とする。
【００１２】
また、本発明は、撮像装置と、前記アドレス情報を生成するアドレス生成部と、前記アドレス生成部が生成した前記アドレス情報を含む前記アドレス画像を生成するアドレス画像生成部と、前記アドレス画像生成部が生成した前記アドレス画像を表示する表示部と、前記撮像装置ネットワーク送信部が送信した前記写真画像を受信するネットワーク受信部と、前記ネットワーク受信部が受信した前記写真画像を記憶する記憶部と、を備えたことを特徴とする電子アルバムシステムである。
【００１３】
また、本発明は、前記アドレス画像生成部が生成した前記アドレス画像へのリンクを含む第１のウェブ文書を生成するウェブ文書生成部を備え、前記表示部は、前記第１のウェブ文書をウェブブラウザが変換して作成した第１のウェブページを表示し、前記ウェブ文書生成部は前記記憶部が記憶した前記写真画像へのリンクを含む第２のウェブ文書を作成し、前記表示部は、前記第２のウェブ文書を前記ウェブブラウザが変換して作成した第２のウェブページを表示することを特徴とする電子アルバムシステムである。
【００１４】
また、本発明は、自画像記憶装置と自画像記憶装置内での画像の記憶先とを一意に識別するネットワーク上のアドレス情報を生成するアドレス生成部と、前記アドレス生成部が生成した前記アドレス情報を含むアドレス画像を生成するアドレス画像生成部と、前記アドレス画像生成部が生成した前記アドレス画像を送信する送信部と、前記アドレス画像に含まれる前記アドレス情報に基づいて送信された写真画像を受信する受信部と、前記受信部が受信した前記写真画像を前記画像の記憶先に記憶する記憶部と、を備えたことを特徴とする画像記憶装置である。
【００１５】
また、本発明の画像記憶装置において、前記アドレス画像生成部は、自画像記憶装置が記憶することが可能な画像サイズの情報である記憶可能情報をさらに含めた前記アドレス画像を生成することを特徴とする。
【００１６】
また、本発明は、認証情報を生成する認証情報生成部と、自画像記憶装置に対する削除要求を受け付けるか否か判断する認証部と、を備え、前記アドレス画像生成部はさらに、前記認証情報を含めた前記アドレス画像を生成し、前記受信部は、削除する前記写真画像の前記記憶先と、認証情報とを含んだ画像削除要求を受信し、前記認証部は、前記認証情報生成部が生成した前記認証情報と、前記受信部が受信した前記認証情報とに基づいて前記削除要求を受け付けるか否か判断し、前記認証部が前記削除要求を受け付けると判断した場合、前記記憶部は前記記憶先に記憶している前記写真画像を削除することを特徴とする画像記憶装置である。
【発明の効果】
【００１７】
本発明によれば、撮像装置が記憶する写真画像を、画像記憶装置（オンラインアルバムサイト）に対し簡単に送信することができる。また、第２の効果として、写真画像が正しい位置に送信および保存されたか否か確認することができる。
【発明を実施するための最良の形態】
【００１８】
（第一の実施形態）
以下、図面を参照し、本発明の第一の実施形態を説明する。図１は本実施形態による電子アルバムシステムの構成を示している構成図である。電子アルバムシステムはオンラインアルバムサイト（画像記憶装置）１０１、パーソナルコンピュータ１０２、デジタルカメラ（撮像装置）１０３、ネットワーク１０４より構成される。
【００１９】
オンラインアルバムサイト１０１は、例えばＵＮＩＸ（登録商標）ファイルサーバなどであり、アドレス生成部１０１１とアドレス画像生成部１０１２とＨＴＭＬ（HyperText Markup Language、ハイパーテキスト・マークアップ・ランゲージ）文書生成部１０１３とネットワーク送受信部１０１４と記憶部１０１５とを備える。
【００２０】
アドレス生成部１０１１は写真画像をコピーする先のアドレスを生成する。公開されているオンラインアルバムサイト１０１はインターネット上でユニークなホスト名が割り当てられているため、アドレス生成部１０１１はホスト名と、記憶部１０１５が写真画像を記憶するコピー先ディレクトリ名と、写真画像を識別できるユニークなファイル名とを合わせたアドレスを生成する。例えば、オンラインアルバムサイト１０１のホスト名がaaa.co.jp、写真画像のコピー先ディレクトリ名をbbb、写真画像のファイル名をccc0001.jpgとすると、アドレス生成部１０１１が生成するアドレスはaaa.co.jp/bbb/ccc0001.jpgとなる。ここで/はディレクトリの区切りを表す区切り文字である。また、画像が複数ある場合はccc0002.jpgのようにファイル名の数値部分をカウントアップする。
【００２１】
アドレス画像生成部１０１２はアドレス生成部１０１１が生成したアドレスを二次元バーコードなどの画像（アドレス画像）に変換する。アドレス画像生成部１０１２が変換した画像はアドレスを符号化した画像である。ＨＴＭＬ文書生成部１０１３はアドレス画像へのリンクを含んだＨＴＭＬで記述されたテキストファイル（ＨＴＭＬ文書）を生成する。具体的には、パーソナルコンピュータ１０２上で動作するウェブブラウザ１０２１がＨＴＭＬ文書をウェブページに変換し、表示部１０２３がウェブページを表示した際アドレス画像が表示されるように、ＨＴＭＬ文書生成部１０１３が生成するＨＴＭＬ文書には、<img>タグを用いたアドレス画像へのリンクが含まれている。また、ＨＴＭＬ文書には所定の時間ごとにウェブブラウザ１０２１がＨＴＭＬ文書の再読み込みを実施する命令として例えばスクリプト言語で記述した命令が含まれている。なお、本実施形態ではＨＴＭＬ文書生成部がＨＴＭＬ文書を作成するとしているが、ウェブ文書生成部がウェブ文書を作成してもよい。ここで、ウェブ文書とはウェブブラウザがウェブページに変換することができる文書と定義する。例えば、ＸＨＴＭＬ（Extensible HyperText Markup Language、エクステンシブル・ハイパーテキスト・マークアップ・ランゲージ）もウェブ文書である。ネットワーク送受信部１０１４は、ネットワーク１０４を介し、他の機器とデータの送受信を行う。記憶部１０１５は、アドレス画像および写真画像を記憶する。
【００２２】
パーソナルコンピュータ１０２はウェブブラウザ１０２１とネットワーク送受信部１０２２と表示部１０２３とを備える。ネットワーク送受信部１０２２はオンラインアルバムサイト１０１よりＨＴＭＬ文書を受信する。ウェブブラウザ１０２１はネットワーク送受信部１０２２が受信したＨＴＭＬ文書をウェブページに変換する。変換する際、ＨＴＭＬ文書に画像へのリンクが含まれている場合はリンク先の画像をウェブページに含む。すなわち、ＨＴＭＬ文書からリンクされたアドレス画像はＨＴＭＬ文書と合わせてウェブページに変換される。表示部１０２３は例えば液晶ディスプレイであり、ウェブブラウザ１０２１が変換したウェブページを表示する。
【００２３】
デジタルカメラ１０３は画像撮像部１０３１と操作部１０３２とアドレス画像解析部１０３３と撮像装置ネットワーク送受信部１０３４と撮像装置記憶部１０３５と表示部１０３６と制御部１０３７とを備える。デジタルカメラ１０３は、風景画や人物画など通常の画像を撮影するモード（以下、通常モードと記す。）と、写真画像を送信するためのモード（以下、画像送信モードと記す。）とで動作する。画像撮像部１０３１は外部の画像を撮像する。特に画像モードが画像送信モードの場合、アドレス画像を撮像する。撮像装置記憶部１０３５は、画像撮像部１０３１が撮像したアドレス画像を記憶する。アドレス画像解析部１０３３は、撮像装置記憶部１０３５が記憶するアドレス画像に含まれるアドレス情報を取得する。操作部１０３２は通常モードと画像送信モードを切り替える操作、およびオンラインアルバムサイト１０１にコピーする写真画像を選択する操作を受け付ける。制御部１０３７は操作部１０３２が受け付けた操作に従い、オンラインアルバムサイト１０１にコピーする写真画像を決定する。表示部１０３６は制御部１０３７が決定した写真画像や画像撮像部１０３１が撮像した画像を表示する。撮像装置ネットワーク送受信部１０３４は、ネットワーク１０４を介し、他の機器とデータの送受信を行う。ネットワーク１０４はオンラインアルバムサイト１０１のネットワーク送受信部１０１４、パーソナルコンピュータ１０２のネットワーク送受信部１０２２、デジタルカメラ１０３の撮像装置ネットワーク送受信部１０３４をそれぞれ接続し、データの送受信を行う。なお、ネットワーク１０４は有線通信方式のネットワーク、無線通信方式のネットワークどちらでもよい。
【００２４】
次に、オンラインアルバムサイト１０１への写真画像のコピー手順について図２を適宜参照して説明する。図２は本実施形態のオンラインアルバムサイト１０１、パーソナルコンピュータ１０２、デジタルカメラ１０３それぞれにおけるオンラインアルバムサイト１０１への写真画像のコピー手順を示した図である。
【００２５】
はじめにパーソナルコンピュータ１０２のネットワーク送受信部１０２２はオンラインアルバムサイト１０１に対しＨＴＭＬ文書送信要求を送信する（ステップＳ１０１）。オンラインアルバムサイト１０１のネットワーク送受信部１０１４はＨＴＭＬ文書送信要求を受信する（ステップＳ１０２）。アドレス生成部１０１１は、ネットワーク送受信部１０１４がＨＴＭＬ文書送信要求を受信した場合、写真画像のコピー先アドレスを生成する（ステップＳ１０３）。続いてアドレス画像生成部１０１２はアドレス生成部１０１１が生成したアドレス情報を含むアドレス画像を生成し、記憶部１０１５は、生成されたアドレス画像のファイル名を、アドレス生成部１０１１が生成した画像ファイル名とし、アドレス生成部１０１１が生成したアドレス情報が示すコピー先ディレクトリにアドレス画像を記憶する（ステップＳ１０４）。続いてＨＴＭＬ文書生成部１０１３は記憶部１０１５が記憶するアドレス画像へのリンクを含むＨＴＭＬ文書を生成する（ステップＳ１０５）。続いてネットワーク送受信部１０１４はＨＴＭＬ文書生成部１０１２が生成したＨＴＭＬ文書を、ＨＴＭＬ文書送信要求を送信したパーソナルコンピュータ１０２に送信する（ステップＳ１０６）。
【００２６】
パーソナルコンピュータ１０２のネットワーク送受信部１０２２はＨＴＭＬ文書を受信する（ステップＳ１０７）。ウェブブラウザ１０２１はネットワーク送受信部１０２２が受信したＨＴＭＬ文書をウェブページに変換し、表示部１０２３はウェブブラウザ１０２１が変換したウェブページを表示する（ステップＳ１０８）。図３はステップＳ１０８時点でのパーソナルコンピュータ１０２の表示部１０２３がウェブページを表示している例を示した図である。パーソナルコンピュータ１０２の表示部１０２３は、オンラインアルバムサイト１０１のアドレス画像生成部１０１２が生成したアドレス画像３０１を含むウェブページを表示する。
【００２７】
一方、デジタルカメラ１０３の操作部１０３２は、画像送信モードに切り替える操作を受け付け、制御部１０３７は、操作部１０３２が受け付けた操作に従い、画像送信モードに切り替える（ステップＳ１０９）。続いて、操作部１０３２はオンラインアルバムサイト１０１にコピーする写真画像を選択する操作を受け付け、制御部１０３７は、操作部１０３２が受け付けた操作に従い、コピーする写真画像を決定する（ステップＳ１１０）。続いて画像撮像部１０３１はパーソナルコンピュータ１０２の表示部１０２３に表示されているアドレス画像を撮像し、撮像装置記憶部１０３５は画像撮像部１０３１が撮像したアドレス画像３０１を記憶する（ステップＳ１１１）。図４はステップＳ１１１時点でデジタルカメラ１０３の表示部１０３６が、アドレス画像３０１と写真画像４０１とを表示している状態を示した図である。デジタルカメラ１０３の表示部１０３６は、制御部１０３７がステップＳ１１０で決定した写真画像４０１と、画像撮像部１０３１がステップＳ１１１で撮像したアドレス画像３０１（ライブ画像）を表示する。続いて、アドレス画像解析部１０３３は、撮像装置記憶部１０３５が記憶するアドレス画像３０１を解析し、写真画像のコピー先アドレスを取得する（ステップＳ１１２）。続いて、デジタルカメラ１０３の撮像装置ネットワーク送受信部１０３４は、ステップＳ１１０で決定した写真画像４０１のファイル名を、ステップＳ１１２で取得したコピー先アドレスで指定されたファイル名とし、写真画像４０１をコピー先アドレスで指定されたホスト名のディレクトリに対し送信する（ステップＳ１１３）。
【００２８】
オンラインアルバムサイト１０１のネットワーク送受信部１０１４は写真画像４０１を受信する（ステップＳ１１４）。オンラインアルバムサイト１０１の記憶部１０１５は、ネットワーク送受信部１０１４が受信した写真画像４０１を、デジタルカメラ１０３が指定したアドレスに記憶する（ステップＳ１１５）。すなわち記憶部１０１５は、ステップＳ１０４で記憶したアドレス画像３０１を、写真画像４０１に置き換える。
【００２９】
パーソナルコンピュータ１０２のネットワーク送受信部１０２２は、ＨＴＭＬ文書に含まれる再読み込み命令によって、オンラインアルバムサイト１０１よりＨＴＭＬ文書（第２のＨＴＭＬ文書）を取得する（ステップＳ１１６）。このときＨＴＭＬ文書からリンクされている画像も再度取得する。これによりネットワーク送受信部１０２２が取得する画像はアドレス画像３０１ではなく写真画像４０１となる。続いて、ウェブブラウザ１０２１はネットワーク送受信部１０２２が受信した第２のＨＴＭＬ文書と写真画像４０１を第２のウェブページに変換し、パーソナルコンピュータ１０２の表示部１０２３は、ウェブブラウザ１０２１が変換した第２のウェブページを表示する（ステップＳ１１７）。
【００３０】
図５はステップＳ１１７時点でパーソナルコンピュータ１０２の表示部１０２３がウェブページを表示している例を示した図である。表示部１０２３はデジタルカメラ１０３よりコピーされた写真画像４０１を表示する。図６はステップＳ１１７時点でデジタルカメラ１０３の表示部１０３６が写真画像を表示している状態を示した図である。デジタルカメラ１０３の表示部１０３６は、制御部１０３７がステップＳ１１０で決定した写真画像４０１と、画像撮像部１０３１がステップＳ１１７時点で撮像した写真画像（ライブ画像）とを表示する。
【００３１】
上述したとおり、アドレス画像からコピー先のホスト名、ディレクトリ名、ファイル名を得ることができるため、コピーする写真画像の選択およびアドレス画像の撮像以外にコピー先に関する情報を指定することなく写真画像のコピーが可能である。デジタルカメラなど操作部が小さく文字入力が困難な場合、本実施形態では文字の入力は必要ないため特に有効である。また、本実施形態の電子アルバムシステムでは、写真画像のコピーが正常に完了した場合、アドレス画像が写真画像に置き換わって表示されるため、表示部を見ることで写真画像が正しい位置にコピーされたか否か確認することができる。
【００３２】
（第二の実施形態）
以下、図面を参照し、本発明の第二の実施形態を説明する。本実施形態では、オンラインアルバムサイトにアップロードを行うことが可能なデータサイズ（情報量）が決まっており、決められたデータサイズより大きなデータサイズの画像をアップロードする場合、撮像装置は、画像のデータサイズを小さくした上で、オンラインアルバムサイトに画像をアップロードする。
【００３３】
図７は本実施形態による電子アルバムシステムの構成を示している構成図である。電子アルバムシステムはオンラインアルバムサイト（画像記憶装置）１０１、パーソナルコンピュータ１０２、デジタルカメラ（撮像装置）１０３、ネットワーク１０４より構成される。
【００３４】
オンラインアルバムサイト１０１と、パーソナルコンピュータ１０２と、ネットワーク１０４の構成は第一の実施形態に示したオンラインアルバムサイト１０１と、パーソナルコンピュータ１０２とネットワーク１０４の構成と同様である。
【００３５】
デジタルカメラ１０３の構成は、第一の実施形態に示したデジタルカメラ１０３の構成に画像サイズ変更部１０３８が加わった構成である。画像サイズ変更部１０３８は、画像撮像部１０３１が撮像した画像のデータサイズの大きさを変更する。変更方法については後述する。
【００３６】
次に、オンラインアルバムサイト１０１への写真画像のコピー手順について図８を適宜参照して説明する。図８は本実施形態のオンラインアルバムサイト１０１、パーソナルコンピュータ１０２、デジタルカメラ１０３それぞれにおけるオンラインアルバムサイト１０１への写真画像のコピー手順を示した図である。
【００３７】
ステップＳ２０１〜ステップＳ２０２の処理は、第一の実施形態のステップＳ１０１〜ステップＳ１０２の処理と同様である。
【００３８】
（ステップＳ２０３）アドレス生成部１０１１は、ネットワーク送受信部１０１４がＨＴＭＬ文書送信要求を受信した場合、写真画像のコピー先を示す情報と、オンラインアルバムサイト１０１がアップロードを受け付ける画像サイズ情報を含むアドレスを生成する。画像サイズ情報は、例えば、画像の横方向と縦方向の大きさや、画像のファイルサイズなどが考えられる。
【００３９】
画像の横方向と縦方向の大きさは、例えば、横方向と縦方向の画素数で示す。なお、ＤＰＩ（ディーピーアイ、ｄｏｔ  ｐｅｒ  ｉｎｃｈ）など他の表現方法で示しても良い。また、画像のファイルサイズは、オンラインアルバムサイトに送信可能な画像データの容量、即ち画像ファイルサイズの最大値である。これはユーザに割り当てられた記憶容量の残量に等しいが、データ送受信時のネットワーク帯域を考慮して更に小さな値を指定しても良い。
【００４０】
一般的にオンラインアルバムサイトでは、各ユーザに対して利用可能な記憶容量の上限を設けており、無制限に大きな画像データを送信する事はできない。ユーザはしばしば自分に割り当てられた記憶容量を使い切ってしまい、且つそれに気付かずに画像を送信してしまう事がある。この場合、画像の送受信途中で記憶容量の不足を通知される事になり、操作に手戻りが発生する。これは予め記憶容量の残量を把握していれば防げる事態である。従って、オンラインアルバムサイトが記録できる画像のファイルサイズの最大値を通知する事は操作性向上の観点で意味がある。
【００４１】
また、オンラインアルバムサイトでは、記録できる画像の縦及び横の大きさ、即ち縦方向及び横方向の画素数に制限を設けている事がある。この場合、制限を超えるサイズの画像を送信してもオンラインアルバムサイト側で自動的に縮小処理が掛けられる為、最初から縮小した画像を送信した場合に比べれば結果的にネットワーク帯域の無駄である。従って、オンラインアルバムサイトが記録できる画像の横方向と縦方向の大きさを通知する事にはパフォーマンス上の利点がある。
【００４２】
ステップＳ２０３の具体例を以下説明する。写真画像のコピー先を示す情報はａａａ．ｃｏ．ｊｐ／ｂｂｂ／ｃｃｃ０００１．ｊｐｇであるとする。また、オンラインアルバムサイト１０１がアップロードを受け付ける最大の横方向の大きさ（ｍａｘｗｉｄｔｈ)は８８８であり、縦方向の大きさ（ｍａｘｈｅｉｇｈｔ)は９９９であるとする。また、推奨画像サイズの横方向の大きさ（ｗｉｄｔｈ)は５５５であり、縦方向の大きさ（ｈｅｉｇｈｔ)が６６６であるとする。また、画像のファイルサイズの最大値（ｍａｘｓｉｚｅ)が１２３４５６７８であるとする。
【００４３】
アドレス生成部１０１１は、これらの情報を組み合わせた表現文字列「ａａａ．ｃｏ．ｊｐ／ｂｂｂ／ｃｃｃ０００１．ｊｐｇ?ｍａｘｗｉｄｔｈ＝８８８＋ｍａｘｈｅｉｇｈｔ＝９９９＋ｗｉｄｔｈ＝５５５＋ｈｅｉｇｈｔ＝６６６＋ｍａｘｓｉｚｅ＝１２３４５６７８」を生成する。なお、この表現文字列は、アドレス情報に画像サイズ情報を併せたものであるが、本実施形態では単にアドレス情報と呼称する。なお、上記の画像の横方向と縦方向の大きさ、または画像のファイルサイズに関する情報のうち、幾つかを省略しても良い。
【００４４】
以下、図８の説明に戻る。ステップＳ２０４〜ステップＳ２１１の処理は、第一の実施形態のステップＳ１０４〜ステップＳ１１１の処理と同様である。
（ステップＳ２１２）アドレス画像解析部１０３３は、撮像装置記憶部１０３５が記憶するアドレス画像３０１を解析し、写真画像のコピー先アドレスと、画像サイズ情報を取得する。その後、ステップＳ２１２´に進む。
【００４５】
（ステップＳ２１２´）制御部１０３７は、ステップＳ２１０で決定した写真画像のデータをコピーし、撮像装置記憶部１０３５に記憶する。その後、画像サイズ変更部１０３８は、ステップＳ２１２で取得した画像サイズ情報に基づいて、撮像装置記憶部１０３５にコピーした写真画像のデータの加工を行う。その後、ステップＳ２１３に進む。
【００４６】
なお、画像サイズ情報によっては、写真画像のデータの加工を行う必要がない場合も考えられる。この場合は、選択画像を加工せずにステップＳ２１３に進んでも良い。
【００４７】
ステップＳ２１２´の具体例を以下説明する。コピーした写真画像のデータの縦および横の大きさが、ステップＳ２１２で取得した画像サイズ情報で指定されている大きさより大きい場合、最大画像サイズ以下になるように画像の縦および横の大きさを縮小する。更に画像の推奨サイズが指定されている場合、縦および横の大きさがこの推奨サイズより小さくなるように、かつ、画像の縦横比が崩れないように縦および横の大きさを縮小する。
【００４８】
また、縮小した画像データのファイルサイズが、ステップＳ２１２で取得した画像サイズ情報で指定されている画像のファイルサイズの最大値（以下、指定最大ファイルサイズと記す）より大きい場合、更に画像を縮小する、あるいは画像の圧縮率を上げて再圧縮し、画像データのファイルサイズが指定最大ファイルサイズより小さくなるようにする。
【００４９】
なお、例えば、指定最大ファイルサイズが０の場合や０に近い場合など、画像データのファイルサイズが指定最大ファイルサイズより小さくなるようにする処理を実行することができない場合、表示部１０３６を通じて、画像データのファイルサイズを指定最大ファイルサイズより小さくすることが出来ない旨をユーザに通知する。
【００５０】
以下、図８の説明に戻る。
（ステップＳ２１３）デジタルカメラ１０３の撮像装置ネットワーク送受信部１０３４は、ステップＳ２１２´でコピーした（加工した）写真画像のファイル名を、ステップＳ２１２で取得したコピー先アドレスで指定されたファイル名とし、この写真画像をコピー先アドレスで指定されたホスト名のディレクトリに対し送信する。その後、ステップＳ２１４に進む。
【００５１】
ステップＳ２１４〜ステップＳ２１７の処理は、第一の実施形態のステップＳ１１４〜ステップＳ１１７の処理と同様である。
【００５２】
上述したとおり、本実施形態では、オンラインアルバムサイトにアップロードを行うことが可能な画像サイズが決まっており、決められた画像サイズより大きなサイズの画像をアップロードする場合、撮像装置は、画像のデータサイズを小さくした上で、オンラインアルバムサイトに画像をアップロードすることができる。その結果、ネットワーク帯域やディスク容量を無駄にする事を防ぐことができる。また、オンラインアルバムサイト側の記憶容量を超えるデータを送るミスを防ぐことができるうえ、記憶容量の残量に応じたサイズ変更や圧縮を行う事ができる。
【００５３】
（第三の実施形態）
以下、図面を参照し、本発明の第三の実施形態を説明する。オンラインアルバムサイトでは通常複数の画像が並べて表示されている。この場合、画像送信前の状態では、画像表示枠にアドレス画像が複数表示されており、アドレス画像撮影時に他のアドレス画像も撮像してしまうことが考えられる。そこで、本実施形態では、複数のアドレス画像を撮像した場合においても、ユーザが明示的な操作で意図するアドレス画像を選択することができるようにする。
【００５４】
本実施形態による電子アルバムシステムの構成は、第一の実施形態の電子アルバムシステムの構成（図１）と同様である。
【００５５】
次に、オンラインアルバムサイト１０１への写真画像のコピー手順について図９を適宜参照して説明する。図９は本実施形態のオンラインアルバムサイト１０１、パーソナルコンピュータ１０２、デジタルカメラ１０３それぞれにおけるオンラインアルバムサイト１０１への写真画像のコピー手順を示した図である。
【００５６】
ステップＳ３０１〜ステップＳ３１０の処理は、第一の実施形態のステップＳ１０１〜ステップＳ１１０の処理と同様である。
【００５７】
（ステップＳ３１１）画像撮像部１０３１は、パーソナルコンピュータ１０２の表示部１０２３に表示されているアドレス画像を撮像する。その後、ステップＳ３１１´に進む。なお、本実施形態では、複数のアドレス画像を同時に撮像する。一つのアドレス画像のみ撮像する場合は、第一の実施形態の処理となる。
【００５８】
図１０はステップＳ３０８時点でのパーソナルコンピュータ１０２の表示部１０２３がウェブページを表示している例を示した図である。パーソナルコンピュータ１０２の表示部１０２３は、オンラインアルバムサイト１０１のアドレス画像生成部１０１２が生成したアドレス画像１００１〜１００２を含むウェブページを表示する。
【００５９】
図１１は、ステップＳ３１１時点でデジタルカメラ１０３の表示部１０３６が、アドレス画像１００１〜１００２と写真画像４０１とを表示している状態を示した図である。デジタルカメラ１０３の表示部１０３６は、制御部１０３７がステップＳ３１０で決定した写真画像４０１と、画像撮像部１０３１がステップＳ３１１で撮像したアドレス画像１００１〜１００２（ライブ画像）を表示している。また、矢印マーカ１１０１が表示されている。
【００６０】
（ステップＳ３１１´）複数のアドレス画像が撮像された場合、制御部１０３７は矢印マーカ１１０１を表示部１０３６に表示する。操作者は、矢印マーカ１１０１を動かし、写真画像４０１をアップロードする箇所に表示されているアドレス画像１００１〜１００２のいずれか１つを選択する。その後、ステップＳ３１２に進む。
【００６１】
この矢印マーカ１１０１は、アドレス画像として使用する画像を選択する印であり、操作部１０３２を用いて動かすことができる。図１１の例では、矢印マーカ１１０１は、アドレス画像１００２を選択しているが、操作部１０３２を用いて、矢印マーカ１１０１を動かし、アドレス画像１００１を選択することも可能である。図１１の例では、矢印マーカ１１０１は、アドレス画像１００２を選択している。この場合、アドレス画像１００２をアドレス画像として使用する。
【００６２】
（ステップＳ３１２）アドレス画像解析部１０３３は、ステップＳ３１１´で選択されたアドレス画像１００１〜１００２を解析し、写真画像のコピー先アドレスを取得する。その後、ステップＳ３１３に進む。
【００６３】
ステップＳ３１３〜ステップＳ３１７の処理は、第一の実施形態のステップＳ１１３〜１１７の処理と同様である。
【００６４】
上述したとおり、本実施形態では、オンラインアルバムサイトに複数のアドレス画像１００１〜１００２が並べて表示されており、複数のアドレス画像を撮像した場合においても、ユーザが明示的な操作で意図するアドレス画像を選択することができる。これにより、アドレス画像撮影時の操作性を向上させることができる。
【００６５】
（第四の実施形態）
以下、図面を参照し、本発明の第四の実施形態を説明する。通常、オンラインアルバムサイトから画像を削除する場合、パーソナルコンピュータからのみ削除を行うことができる。デジタルカメラを操作し、オンラインアルバムサイトに画像のアップロードを行った場合において、アップロードを行った画像の間違いに気づいた場合など、オンラインアルバムサイトから画像を削除する際に、デジタルカメラからパーソナルコンピュータに機器を持ち替える必要があり煩雑である。本実施形態は、デジタルカメラを用いて、アップロードを行った画像をオンラインアルバムサイトから削除することができるようにした実施形態である。
【００６６】
図１２は本実施形態による電子アルバムシステムの構成を示している構成図である。電子アルバムシステムはオンラインアルバムサイト（画像記憶装置）１０１、パーソナルコンピュータ１０２、デジタルカメラ（撮像装置）１０３、ネットワーク１０４より構成される。
【００６７】
パーソナルコンピュータ１０２と、デジタルカメラ１０３とネットワーク１０４の構成は第一の実施形態に示したパーソナルコンピュータ１０２と、デジタルカメラ１０３とネットワーク１０４の構成と同様である。なお、本実施形態のデジタルカメラ１０３は、風景画や人物画など通常の画像を撮影するモード（以下、通常モードと記す。）と、写真画像を送信するためのモード（以下、画像送信モードと記す。）と、オンラインアルバムサイト１０１にアップロードを行った画像を削除するためのモード（以下、画像削除モードと記す。）で動作する。なお、画像削除モードは、オンラインアルバムサイト１０１から削除したい画像を選択することができるモードである。
【００６８】
オンラインアルバムサイト１０１の構成は、第一の実施形態に示したオンラインアルバムサイト１０１の構成に、認証文字列生成部１０１６と認証部１０１７とが加わった構成である。認証文字列生成部１０１６は認証用の文字列（パスワード）を生成する。認証部１０１７は認証処理を行う。
【００６９】
次に、オンラインアルバムサイト１０１への写真画像のコピー手順について図１３を適宜参照して説明する。図１３は本実施形態のオンラインアルバムサイト１０１、パーソナルコンピュータ１０２、デジタルカメラ１０３それぞれにおけるオンラインアルバムサイト１０１への写真画像のコピー手順を示した図である。
【００７０】
ステップＳ４０１〜ステップＳ４０２の処理は、第一の実施形態のステップＳ１０１〜ステップＳ１０２の処理と同様である。
【００７１】
（ステップＳ４０３）アドレス生成部１０１１は、ネットワーク送受信部１０１４がＨＴＭＬ文書送信要求を受信した場合、写真画像のコピー先を示す情報を含むアドレスを生成する。その後、ステップＳ４０３´に進む。
【００７２】
（ステップＳ４０３´）認証文字列生成部１０１６は、認証文字列を生成し、生成した認証文字列とステップＳ４０３で生成したアドレスとを関連付けて記憶部１０１５に記憶する。その後、ステップＳ４０４に進む。
【００７３】
認証文字列は、認証時にパスワードとして機能する文字列である。本実施形態では、オンラインアルバムサイトにアップロードを行った画像を削除する機能を提供する。他人による不正な削除を防止するために、削除を行う際に認証を行う。この認証に認証文字列を用いる。
【００７４】
なお、この文字列は、他者によって容易に推測できないような文字列であればどのような文字列でも良い。例えば、時刻とランダムな文字列を組み合わせたものを用いる。具体的には、認証文字列生成時の時刻が２００７年１月２３日１２時３４分５６秒であり、ランダムな文字列がａ１ｂ２ｃ３ｄ４である場合、認証文字列は「２００７０１２３−１２３４５６−ａ１ｂ２ｃ３ｄ４」となる。なお、ランダムな文字列はステップＳ４０３´を実行する毎に生成し直す。
【００７５】
（ステップＳ４０４）アドレス画像生成部１０１１は、ステップＳ４０３で生成したアドレスと、ステップＳ４０３´で生成した認証文字列とを組み合わせた表現文字列を生成し、生成した表現文字列を含んだアドレス画像を生成する。また、記憶部１０１５は、生成されたアドレス画像のファイル名を、アドレス生成部１０１１が生成した画像ファイル名とし、アドレス生成部１０１１が生成したアドレス情報が示すコピー先ディレクトリにアドレス画像を記憶する。その後、ステップＳ４０５に進む。
【００７６】
ステップＳ４０４の表現文字列の具体例を以下説明する。写真画像のコピー先を示す情報はａａａ．ｃｏ．ｊｐ／ｂｂｂ／ｃｃｃ０００１．ｊｐｇであるとする。また、ステップＳ４０３´で生成した認証文字列は２００７０１２３−１２３４５６−ａ１ｂ２ｃ３ｄ４であるとする。
【００７７】
アドレス画像生成部１０１２は、これらの情報を組み合わせた表現文字列「ａａａ．ｃｏ．ｊｐ／ｂｂｂ／ｃｃｃ０００１．ｊｐｇ？ａｕｔｈ＝２００７０１２３−１２３４５６−ａ１ｂ２ｃ３ｄ４」を生成する。なお、この表現文字列は、アドレス情報に認証文字列を併せたものであるが、本実施形態では単にアドレス情報と呼称する。
【００７８】
以下、図１３の説明に戻る。ステップＳ４０５〜ステップＳ４１１の処理は、第一の実施形態のステップＳ１０５〜ステップＳ１１１の処理と同様である。
（ステップＳ４１２）アドレス画像解析部１０３３は、撮像装置記憶部１０３５が記憶するアドレス画像３０１を解析し、写真画像のコピー先アドレスと、認証文字列とを取得する。その後、ステップＳ４１３に進む。
【００７９】
（ステップＳ４１３）デジタルカメラ１０３の撮像装置ネットワーク送受信部１０３４は、ステップＳ４１０で決定した写真画像４０１のファイル名を、ステップＳ４１２で取得したコピー先アドレスで指定されたファイル名とし、写真画像４０１をコピー先アドレスで指定されたホスト名のディレクトリに対し送信する。また、撮像装置記憶部１０３５は、アドレス情報と、認証文字列と、送信した写真画像４０１とを関連付けて記憶する。その後、ステップＳ４１４に進む。
【００８０】
ステップＳ４１４〜ステップＳ４１７の処理は、第一の実施形態のステップＳ１１４〜ステップＳ１１７の処理と同様である。
【００８１】
上述した手順により、オンラインアルバムサイト１０１に、写真画像４０１をアップロードすることができる。
【００８２】
次に、オンラインアルバムサイト１０１にアップロードした写真画像４０１の削除手順について図１４を適宜参照して説明する。図１４は本実施形態のオンラインアルバムサイト１０１、パーソナルコンピュータ１０２、デジタルカメラ１０３それぞれにおけるオンラインアルバムサイト１０１にアップロードした写真画像の削除手順を示した図である。
【００８３】
（ステップＳ５０１）ステップＳ４１７と同様に、パーソナルコンピュータ１０２の表示部１０２３は、ウェブブラウザ１０２１が変換した第２のウェブページ（アップロードを行った画像が含まれるウェブページ）を表示する。その後、ステップＳ５０２に進む。
【００８４】
（ステップＳ５０２）デジタルカメラ１０３の操作部１０３２は、画像削除モードに切り替える操作を受け付け、制御部１０３７は、操作部１０３２が受け付けた操作に従い、画像削除モードに切り替える。その後、ステップＳ５０３に進む。
【００８５】
（ステップＳ５０３）ステップＳ４１３で、撮像装置記憶部１０３５が記憶した写真画像４０１のなかから、操作者はデジタルカメラ１０３の操作部１０３２を操作し、オンラインアルバムサイト１０１から削除する画像を選択する。その後、ステップＳ５０４に進む。
【００８６】
（ステップＳ５０４）制御部１０３７は、ステップＳ５０３で選択された画像４０１に関連付けられて記憶されているアドレス情報と認証文字列とを、画像装置記憶部１０３５より読み出す。その後、ステップＳ５０５に進む。なお、オンラインアルバムサイト１０１は、アドレス情報によって削除対象の画像を判断する。
【００８７】
（ステップＳ５０５）制御部１０３７は、ステップＳ５０４で取得したアドレス情報に含まれるアドレスに対して、画像削除要求を送信する。その後、ステップＳ５０６に進む。
【００８８】
画像削除要求は、所定の形式で表現された削除用アドレスである。オンラインアルバムサイト１０１では、この所定の形式で表現された削除用アドレスに対してアクセス要求があった場合、このアクセスを画像削除要求と解釈し、該当する画像の削除の処理を実施する。この削除処理は後述するステップＳ５０６〜ステップＳ５１０の処理である。
【００８９】
所定の形式で表現された削除用アドレスとしては、例えば、画像のアドレスと、認証文字列と、画像削除要求であることを示す「ｄｅｌｅｔｅ」を含んだアドレスとする。具体的には、アドレス「ａａａ．ｃｏ．ｊｐ／ｂｂｂ／ｃｃｃ０００１．ｊｐｇ」にアップロードした画像を、認証文字列「２００７０１２３−１２３４５６−ａ１ｂ２ｃ３ｄ４」を用いて削除したい場合、デジタルカメラ１０３の撮像装置ネットワーク送受信部１０３４は、「ａａａ．ｃｏ．ｊｐ／ｂｂｂ／ｃｃｃ０００１．ｊｐｇ？ｄｅｌｅｔｅ＋ａｕｔｈ＝２００７０１２３−１２３４５６−ａ１ｂ２ｃ３ｄ４」のアドレスにアクセスする。このアクセスにより、オンラインアルバムサイト１０１は、該当する画像の削除処理を実施する。
【００９０】
以下、図１４の説明に戻る。
（ステップＳ５０６）オンラインアルバムサイト１０１のネットワーク送受信部１０１４は、デジタルカメラ１０３より送信された画像削除用アドレスへのアクセスを受け付ける。その後、ステップＳ５０７に進む。
【００９１】
なお、ネットワーク送受信部１０１４は、サイト内のアドレスへのアクセス要求が発生した場合、送信されたアクセス要求が所定の形式で表現された削除用のアドレスに対するアクセス要求であるか否か判断する。削除用のアドレスに対するアクセス要求であると判断した場合、削除処理を実施する。それ以外の場合は、通常のアクセスとして処理を実施する。
【００９２】
（ステップＳ５０７）認証部１０１７は、ステップＳ５０６で受信したアクセスに含まれる認証文字列と、アクセスされたアドレスとの組み合わせが、ステップＳ４０３´で記憶部１０１５が記憶した認証文字列とアドレスとの組み合わせに含まれているか否か判断し、含まれていると判断した場合は認証に成功したとしてステップＳ５０８に進む。含まれていないと判断した場合は画像削除要求を無視し、処理を終了する。なお、処理を終了する前に、認証に問題があった旨をＨＴＭＬ文書に記載し、パーソナルコンピュータ１０２に表示するようにしても良い。
【００９３】
（ステップＳ５０８）削除要請された写真画像４０１の削除を行う。その後、処理を終了する。具体的には、オンラインアルバムサイト１０１の記憶部１０１５は、ステップＳ５０６でアクセスされたアドレスで指定される場所（写真画像４０１が記憶されている場所）の画像を削除する。
【００９４】
なお、削除要請された写真画像４０１の削除後、再度アドレス画像を表示する処理を行っても良い。削除要請された写真画像４０１の削除後、再度アドレス画像を表示する処理について図１５を参照して説明する。図１５は本実施形態のオンラインアルバムサイト１０１、パーソナルコンピュータ１０２、デジタルカメラ１０３それぞれにおけるオンラインアルバムサイト１０１にアップロードした写真画像の削除手順を示した図である。
【００９５】
ステップＳ６０１〜ステップＳ６０７の処理は、ステップＳ５０１〜ステップＳ５０７の処理と同様である。
【００９６】
（ステップＳ６０８〜ステップＳ６０９）削除要請された写真画像４０１の削除後、再度アドレス画像を表示するため、ステップＳ４０３´〜ステップＳ４０４と同様の処理を実施し、認証文字列を含んだアドレス画像を生成する。その後、ステップＳ６１０に進む。
【００９７】
（ステップＳ６１０）オンラインアルバムサイト１０１の記憶部１０１５は、ステップＳ６０８〜ステップＳ６０９で生成したアドレス画像を、ステップＳ６０６でアクセスされたアドレスで指定される場所（写真画像４０１が記憶されている場所）に記憶する。その後、ステップＳ６１１に進む。これにより、写真画像４０１がアドレス画像で上書きされる（置き換わる）ことで、オンラインアルバムサイト１０１にアップロードされていた写真画像４０１を削除することができる。
【００９８】
（ステップＳ６１１）パーソナルコンピュータ１０２のネットワーク送受信部１０２２は、ＨＴＭＬ文書に含まれる再読み込み命令によって、オンラインアルバムサイト１０１よりＨＴＭＬ文書を取得する。このときＨＴＭＬ文書からリンクされている画像（ステップＳ５０９で生成したアドレス画像）も再度取得する。これによりネットワーク送受信部１０２２が取得する画像は写真画像４０１ではなく、アドレス画像３０１となる。
【００９９】
（ステップＳ６１２）ウェブブラウザ１０２１はネットワーク送受信部１０２２が受信したＨＴＭＬ文書とアドレス画像３０１をウェブページに変換する。パーソナルコンピュータ１０２の表示部１０２３は、ウェブブラウザ１０２１が変換したウェブページを表示する。
【０１００】
なお、画像削除要求の処理は、パーソナルコンピュータ１０２を使用せず、デジタルカメラ１０３とオンラインアルバムサイト１０１との間の処理のみで実施されるため、画像削除時にはパーソナルコンピュータ１０２の表示部１０２３にウェブページを表示しなくても良い。
【０１０１】
上述したとおり、本実施形態によれば、操作者はデジタルカメラ１０３の操作を行うのみで、オンラインアルバムサイト１０１にアップロードした写真画像４０１を簡便に削除することができる。このため、操作者はパーソナルコンピュータ１０２を操作することなくオンラインアルバムサイト１０１から画像を削除することができる。よって、デジタルカメラ１０３からオンラインアルバムサイト１０１に対して画像のアップロードと削除の両方を行うことができるため、デジタルカメラ１０３とパーソナルコンピュータ１０２とを使い分ける煩雑さを解消することができる。
【０１０２】
以上、この発明の実施形態について図面を参照して詳述してきたが、具体的な構成はこの実施形態に限られるものではなく、この発明の要旨を逸脱しない範囲の設計等も含まれる。例えば本実施形態ではオンラインアルバムサイト１０１とパーソナルコンピュータ１０２を別の装置としているが、これらを一台のパーソナルコンピュータとしても良い。すなわちこの場合、写真画像をオンラインアルバムサイト１０１ではなく、アルバムソフトが動作するパーソナルコンピュータに簡単かつ直感的な操作でコピーする事ができ、コピーした結果を直ちに確認することができる。また、本実施形態では写真画像をオンラインアルバムサイト１０１内の記憶部１０１５に記憶する際、アドレス画像を写真画像に置き換えているが、アドレス画像と写真画像のファイル名を別名とし、ＨＴＭＬ文書生成部がそれぞれの画像に対しリンクを含むＨＴＭＬ文書を作成することで、表示部１０２３はアドレス画像と写真画像の両方を第２のウェブページとして表示することができる。また、アドレス画像を表示する機器はパーソナルコンピュータではなく、テレビ、携帯電話などのモバイル機器、液晶パネルつきのデジタルカメラなど、画像を表示することができる機器であっても良い。
【図面の簡単な説明】
【０１０３】
【図１】本発明の第一の実施形態による電子アルバムシステムの構成を示したブロック図である。
【図２】本発明の第一の実施形態によるオンラインアルバムサイトへの写真画像のコピー手順を示した図である。
【図３】本発明の第一の実施形態によるパーソナルコンピュータの表示部がウェブページを表示している例を示した図である。
【図４】本発明の第一の実施形態によるデジタルカメラの表示部がアドレス画像と写真画像を表示している例を示した図である。
【図５】本発明の第一の実施形態によるパーソナルコンピュータの表示部がウェブページを表示している例を示した図である。
【図６】本発明の第一の実施形態によるデジタルカメラの表示部が写真画像を表示している例を示した図である。
【図７】本発明の第二の実施形態による電子アルバムシステムの構成を示している構成図である。
【図８】本発明の第二の実施形態によるオンラインアルバムサイト１０１への写真画像のコピー手順を示した図である。
【図９】本発明の第三の実施形態によるオンラインアルバムサイト１０１への写真画像のコピー手順を示した図である。
【図１０】本発明の第三の実施形態によるパーソナルコンピュータの表示部がウェブページを表示している例を示した図である。
【図１１】本発明の第三の実施形態によるデジタルカメラの表示部がアドレス画像と写真画像を表示している例を示した図である。
【図１２】本発明の第四の実施形態による電子アルバムシステムの構成を示している構成図である。
【図１３】本発明の第四の実施形態によるオンラインアルバムサイト１０１への写真画像のコピー手順を示した図である。
【図１４】本発明の第四の実施形態によるオンラインアルバムサイト１０１にアップロードした写真画像の削除手順を示した図である
【図１５】本発明の第四の実施形態によるオンラインアルバムサイト１０１にアップロードした写真画像の削除手順を示した図である。
【符号の説明】
【０１０４】
１０１・・・オンラインアルバムサイト（画像記憶装置）、１０２・・・パーソナルコンピュータ、１０３・・・デジタルカメラ（撮像装置）、１０４・・・ネットワーク、１０１１・・・アドレス生成部、１０１２・・・アドレス画像生成部、１０１３・・・ＨＴＭＬ文書生成部、１０１４，１０２２・・・ネットワーク送受信部、１０１５・・・記憶部、１０１６・・・認証文字列生成部、１０１７・・・認証部、１０２１・・・ウェブブラウザ、１０２３，１０３６・・・表示部、１０３１・・・画像撮像部、１０３２・・・操作部、１０３３・・・アドレス画像解析部、１０３４・・・撮像装置ネットワーク送受信部、１０３５・・・撮像装置記憶部、１０３７・・・制御部、１０３８・・・画像サイズ変更部
【図１】
2009020862.tif 000003
【図２】
2009020862.tif 000004
【図３】
2009020862.tif 000005
【図４】
2009020862.tif 000006
【図５】
2009020862.tif 000007
【図６】
2009020862.tif 000008
【図７】
2009020862.tif 000009
【図８】
2009020862.tif 000010
【図９】
2009020862.tif 000011
【図１０】
2009020862.tif 000012
【図１１】
2009020862.tif 000013
【図１２】
2009020862.tif 000014
【図１３】
2009020862.tif 000015
【図１４】
2009020862.tif 000016
【図１５】
2009020862.tif 000017